(57)【要約】【課題】使用者が音楽を聴くときに、イヤピースを使用者の耳に適合するように接触させ、快適性が高いイヤピースアダプター及びイヤピースを提供する。【解決手段】イヤピースアダプター１００は、イヤホン接続部１、イヤピース係合部２及び首部３を備える。イヤホン接続部１は、環状ベース１１と、環状ベース１１を取り囲むように成形された嵌入壁１２とを有する。イヤピース係合部２は、環状柱体である。首部３は、イヤホン接続部１の環状ベース１１と、イヤピース係合部２の底部とに接続される。首部３の半径は、イヤホン接続部１の半径及びイヤピース係合部２の半径より小さい。首部３は、イヤホン接続部１及びイヤピース係合部２に連通する導音チャネル３１を有する。【選択図】図１
0003226474.tif 000002
【実用新案登録請求の範囲】
【請求項１】
イヤホン接続部、イヤピース係合部及び首部を備えたイヤピースアダプターであって、
前記イヤホン接続部は、環状ベースと、前記環状ベースを取り囲むように成形された嵌入壁と、を有し、
前記イヤピース係合部は、環状柱体であり、
前記首部は、前記イヤホン接続部の前記環状ベースと、前記イヤピース係合部の底部と、に接続され、前記首部の半径は、前記イヤホン接続部の半径及び前記イヤピース係合部の半径より小さく、前記首部は、前記イヤホン接続部及び前記イヤピース係合部に連通する導音チャネルを有することを特徴とする、イヤピースアダプター。
【請求項２】
前記イヤピース係合部の半径は、前記イヤホン接続部の半径より小さいことを特徴とする、請求項１に記載のイヤピースアダプター。
【請求項３】
前記嵌入壁の外側面には、６つの通気孔が形成されていることを特徴とする、請求項１に記載のイヤピースアダプター。
【請求項４】
前記嵌入壁の内側面には、２つの長形凹溝が設けられていることを特徴とする、請求項１に記載のイヤピースアダプター。
【請求項５】
前記イヤピース係合部の頂部には、網カバーが設けられていることを特徴とする、請求項１に記載のイヤピースアダプター。
【請求項６】
前記嵌入壁の底部の外側面には、スリーブが配設されていることを特徴とする、請求項１に記載のイヤピースアダプター。
【請求項７】
請求項１〜６の何れか１項に記載のイヤピースアダプターと、イヤピースカバー部と、を備えた、イヤピースであって、
前記イヤピースカバー部は、栓と、前記イヤピース係合部及び前記首部に対応した形状を有する嵌合部と、を有し、
前記嵌合部は、嵌合口及び凹入槽を有し、
前記イヤピース係合部は、前記凹入槽中に係合され、
前記首部は、前記嵌合口中に係合され、
前記栓は、導音チャネルに連通する出音口を有することを特徴とする、イヤピース。
【請求項８】
前記嵌合口内の頂部には、環状凸縁が設けられていることを特徴とする、請求項７に記載のイヤピース。
【請求項９】
前記嵌合口の周囲の環状構造の硬度は、前記イヤピースカバー部の他の構造の硬度より高いことを特徴とする、請求項７に記載のイヤピース。
【考案の詳細な説明】
【技術分野】
【０００１】
本考案は、イヤホンに用いるイヤピースに関し、特に、イヤピースアダプター及びイヤピースに関する。
【背景技術】
【０００２】
イヤピース式イヤホンは体積が小さく、耳孔に発音体を直接挿入することができるため、使用者は近くにいる人に迷惑を掛けずに音を聞くことができる上、ハンディーで持ち運びしやすいため、一般によく見かける電子機器のアクセサリーとなっている。しかし、例えば嵌入式導音管イヤホンは、使用者が不快に感じたり、一部のタイプのイヤホンの延伸導音管が内蔵されているため、部品の交換方式が分からなかったりするという問題があった。また、一部のタイプのイヤホンは、イヤピースに接続すると、密閉性が低下し、装着感が悪くなってしまうという問題もあった。
【考案の概要】
【考案が解決しようとする課題】
【０００３】
そこで、本考案者は、上記課題を解決するための鋭意検討を重ねた結果、かかる知見に基づいて、本考案に想到するに至った。
本考案の課題は、使用者が音楽を聴くときに、イヤピースを使用者の耳に適合するように接触させ、快適性が高いイヤピースアダプター及びイヤピースを提供することにある。
【課題を解決するための手段】
【０００４】
（１）イヤホン接続部、イヤピース係合部及び首部を備えたイヤピースアダプターであって、前記イヤホン接続部は、環状ベースと、前記環状ベースを取り囲むように成形された嵌入壁と、を有し、前記イヤピース係合部は、環状柱体であり、前記首部は、前記イヤホン接続部の前記環状ベースと、前記イヤピース係合部の底部と、に接続され、前記首部の半径は、前記イヤホン接続部の半径及び前記イヤピース係合部の半径より小さく、前記首部は、前記イヤホン接続部及び前記イヤピース係合部に連通する導音チャネルを有することを特徴とする、イヤピースアダプター。
【０００５】
（２）前記イヤピース係合部の半径は、前記イヤホン接続部の半径より小さいことを特徴とする（１）に記載のイヤピースアダプター。
【０００６】
（３）前記嵌入壁の外側面には、６つの通気孔が形成されていることを特徴とする（１）に記載のイヤピースアダプター。
【０００７】
（４）前記嵌入壁の内側面には、２つの長形凹溝が設けられていることを特徴とする（１）に記載のイヤピースアダプター。
【０００８】
（５）前記イヤピース係合部の頂部には、網カバーが設けられていることを特徴とする（１）に記載のイヤピースアダプター。
【０００９】
（６）前記嵌入壁の底部の外側面には、スリーブが配設されていることを特徴とする（１）に記載のイヤピースアダプター。
【００１０】
（７）（１）〜（６）の何れか１項に記載のイヤピースアダプターと、イヤピースカバー部と、を備えた、イヤピースであって、前記イヤピースカバー部は、栓と、前記イヤピース係合部及び前記首部に対応した形状を有する嵌合部と、を有し、前記嵌合部は、嵌合口及び凹入槽を有し、前記イヤピース係合部は、前記凹入槽中に係合され、前記首部は、前記嵌合口中に係合され、前記栓は、導音チャネルに連通する出音口を有することを特徴とする、イヤピース。
【００１１】
（８）前記嵌合口内の頂部には、環状凸縁が設けられていることを特徴とする（７）に記載のイヤピース。
【００１２】
（９）前記嵌合口の周囲の環状構造の硬度は、前記イヤピースカバー部の他の構造の硬度より高いことを特徴とする（７）に記載のイヤピース。
【考案の効果】
【００１３】
本考案のイヤピースアダプターは、従来技術と比べ、イヤピースカバー部に接続してイヤホン用イヤピースを形成し、嵌入式又は非嵌入式の導音管イヤホンに接続することが可能であるため、使用者が音楽を聴くときに、イヤピースを使用者の耳に適合するように接触させ、快適性を高めることができる。また、イヤピースアダプターは、外部のノイズを遮音し、音楽鑑賞の質を高めることができる。また、イヤピースは、その一部が変形したり、使用できなくなったり、紛失してしまったりした場合、新たな物と交換することができる。
【図面の簡単な説明】
【００１４】
【図１】本考案の一実施形態に係るイヤピースアダプターを示す斜視図である。
【図２】本考案の一実施形態に係るイヤピースを示す分解斜視図である。
【図３】本考案の一実施形態に係るイヤピースを示す斜視図である。
【図４】本考案の一実施形態に係るイヤピースアダプターを示す断面図である。
【図５】本考案の一実施形態に係るイヤピースアダプターに配設した網カバー及びスリーブを示す断面図である。
【図６】本考案の一実施形態に係る網カバーを示す説明図である。
【図７】本考案の一実施形態に係るイヤピースカバー部に設けた環状凸縁を示す断面図である。
【考案を実施するための形態】
【００１５】
以下、本考案の目的、特徴及び効果をより分かりやすくするために、具体的な実施形態について図に基づいて詳しく説明する。
【００１６】
図１及び図２を参照する。図１及び図２に示すように、本考案の一実施形態に係るイヤピースアダプター１００は、少なくともイヤホン接続部１、イヤピース係合部２及び首部３から構成されてなる。イヤホン接続部１、イヤピース係合部２及び首部３の形状は、楕円形又は円形でもよい。
【００１７】
イヤホン接続部１は、環状ベース１１と、環状ベース１１を取り囲むように成形された嵌入壁１２と、を有する。嵌入壁１２は、嵌入式導音管イヤホンの内蔵部材と外壁との間の間隙に嵌入し得る薄壁でもよい（図示せず）。
【００１８】
イヤピース係合部２は、イヤピースカバー部に係合する環状柱体である。
【００１９】
首部３は、イヤホン接続部１の環状ベース１１と、イヤピース係合部２の底部とに接続される。首部３の半径は、イヤホン接続部１の半径及びイヤピース係合部２の半径より小さい。首部３は、イヤホン接続部１及びイヤピース係合部２に連通する導音チャネル３１を有する。導音チャネル３１は、イヤホン（図示せず）からの音を耳に直接伝えることができるように、イヤピースアダプター１００が外部からのノイズを遮音・吸音する材料からなり、使用者に音がはっきり聞こえるようにしてもよい。
【００２０】
本実施形態のイヤピースアダプター１００は、イヤピースカバー部が接続されてイヤホン用イヤピースカバーに成形され、嵌入式導音管イヤホンに接続してもよい。使用者が音楽を聴く際、使用者の耳にイヤピースを適切に接触させることができるため、快適性が向上する上、イヤピースアダプター１００により外部のノイズを遮音することができるため、音楽鑑賞の質を高めることができる。
【００２１】
図１に示すように、本実施形態のイヤピース係合部２の半径は、イヤホン接続部１の半径より小さいが、本考案はこれだけに限定されるわけではない。
【００２２】
図１及び図２を参照する。図１及び図２に示すように、嵌入壁１２の外側面には、６つの通気孔１２１が形成されている。６つの通気孔１２１は、両側に３つずつ１８０度対称に形成され、通気孔１２１は、イヤピースアダプター１００が嵌入式導音管イヤホン口に係合される密着度を高め、音の歪み及び音漏れが発生することを防ぐことができる。
【００２３】
また、図２に示すように、嵌入壁１２の内側面には、２つの長形凹溝１２２が設けられている。２つの長形凹溝１２２は、１８０度対称に形成され、嵌入式導音管イヤホンの内蔵部材の突起構造に合致するため、イヤホンの内蔵部材と外壁との間の間隙に嵌入壁１２を確実に係合させることができる。
【００２４】
図５及び図６を参照する。図５及び図６に示すように、本実施形態のイヤピース係合部２の頂部には、音の表現力を高めるために、網カバー５が設けられてもよい。
【００２５】
図５を参照する。図５に示すように、本実施形態の嵌入壁１２の底部外側面の環溝１２３には、スリーブ６（例えばゴム材料からなるスリーブ）が配設されてもよい。スリーブ６は、イヤピースアダプター１００が嵌入式導音管イヤホン口に係合されたときの密着度を高め、導音チャネル３１から音漏れすることを防ぎ、イヤピースアダプター１００と嵌入式導音管イヤホン口との間に水が浸入することを防ぐことができる。また、スリーブ６は、イヤピースアダプター１００と異なる材料からなり、接続性を向上させるためにイヤピースアダプター１００より高い硬度にしてもよい。
【００２６】
図２〜図４を参照する。図２〜図４に示すように、本実施形態のイヤピース２００は、イヤピースアダプター１００とイヤピースカバー部４との組み合わせからなる。
【００２７】
イヤピースカバー部４は、栓４１と、イヤピース係合部２及び首部３に対応した形状を有する嵌合部４２と、を有する。嵌合部４２は、嵌合口４２１及び凹入槽４２２を有する。イヤピース係合部２は、凹入槽４２２中に係合される。首部３は、嵌合口４２１中に係合される。栓４１は、導音チャネル３１に連通する出音口４１１を有する。栓４１は、中央部に出音口４１１を有して円弧状に形成され、材質が軟らかいため、使用者の外耳に挿入すると外部のノイズを遮音し、イヤホンからの音楽が導音チャネル３１を介して栓４１の出音口４１１から耳内に直接伝わる。
【００２８】
本実施形態のイヤピースアダプター１００及びイヤピースカバー部４、又はそれらの組み合わせからなるイヤピース２００は交換可能である。そのため、イヤピース２００は、その一部が変形したり、使用できなくなったり、紛失してしまったりした場合、新たな物と交換することができる。
【００２９】
図７を参照する。図７に示すように、本実施形態の嵌合口４２１内の頂部には、環状凸縁４２１１が設けられる。環状凸縁４２１１によりイヤピースカバー部４とイヤピースアダプター１００との間の固定力を高めることができるため、イヤピースカバー部４が耳道内に落下することを防ぐことができる。
【００３０】
図７に示すように、本実施形態の嵌合口４２１の周囲の環状構造の硬度をイヤピースカバー部４の他の構造の硬度より高くし、イヤピースアダプター１００にイヤピースカバー部４を確実に固定させてもよい。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１  イヤホン接続部
２  イヤピース係合部
３  首部
４  イヤピースカバー部
５  網カバー
６  スリーブ
１１  環状ベース
１２  嵌入壁
３１  導音チャネル
４１  栓
４２  嵌合部
１００  イヤピースアダプター
１２１  通気孔
１２２  長形凹溝
１２３  環溝
２００  イヤピース
４１１  出音口
４２１  嵌合口
４２２  凹入槽
４２１１  環状凸縁
【図１】
0003226474.tif 000003
【図２】
0003226474.tif 000004
【図３】
0003226474.tif 000005
【図４】
0003226474.tif 000006
【図５】
0003226474.tif 000007
【図６】
0003226474.tif 000008
【図７】
0003226474.tif 000009